(57)【要約】【課題】待機時（動作しない時）の電力消費をなくす。【解決手段】電気機器１００は、受信部１０１、スイッチ部１０２、及び内部回路１０３を有している。受信部１０１は外部からの電磁波１０５を受信し、電力１０７を生成する。受信部１０１は例えば電磁波１０５を受信するアンテナと、電力１０７を生成するための整流器とを有している。なお、受信部１０１はこれら以外の部分を有していても構わない。受信部１０１で生成された電力１０７はスイッチ部１０２へ送られる。スイッチ部１０２に電力１０７が供給されると、スイッチ部１０２はその電力によって電源投入状態となり、外部電源１０４から供給される電流１０８を電流１０９として電気機器１００の内部回路１０３へ導通させる。【選択図】図１
2006319863.tif 000002
【特許請求の範囲】
【請求項１】
外部からの電流を導通させるスイッチ部を有する電気機器であって、
電磁波を受信し前記電磁波から電力を生成する受信部を有し、
前記スイッチ部は、前記受信部が前記電磁波を受信した場合、前記受信部で生成された電力を供給され、前記電気機器に外部からの電流を導通させる、
電気機器。
【請求項２】
外部からの電流を導通させるスイッチ部を有する電気機器であって、
第１の情報を搬送する電磁波を受信して前記電磁波から電力を生成する受信部を有し、
前記スイッチ部は前記受信部で生成された電力を供給され、前記第１の情報に基づいて前記電気機器に外部からの電流を導通させる、
電気機器。
【請求項３】
前記電磁波は装置識別情報を搬送し、
前記スイッチ部は、前記装置識別情報に基づいて前記電気機器に外部からの電流を導通させる、
請求項１または請求項２に記載の電気機器。
【請求項４】
計時部と、
時刻情報を受信する時刻情報受信部と、
前記時刻情報を前記計時部に設定する時刻設定部と、
を有する請求項１から請求項３のいずれか１項に記載の電気機器。
【請求項５】
前記電磁波は前記時刻情報を搬送する、
請求項４に記載の電気機器。
【請求項６】
前記スイッチ部が前記電気機器に外部からの電流を導通させている場合に、
前記時刻情報受信部は電波により放送されている時刻情報を受信し、
前記時刻設定部は受信した前記時刻情報を前記計時部に設定する、
請求項４に記載の電気機器。
【請求項７】
第１のネットワークインタフェースを有し、
前記スイッチ部が前記電気機器に外部からの電流を導通させている場合に、
前記時刻情報受信部は前記第１のネットワークインタフェースを介して時刻情報を受信し、
前記時刻設定部は受信した前記時刻情報を前記計時部に設定する、
請求項４に記載の電気機器。
【請求項８】
前記スイッチ部が前記電気機器に外部からの電流を導通させている状態であって、前記受信部が前記電磁波を受信した場合に、
前記スイッチ部は前記電気機器に外部からの電流を導通させたままの状態である、
請求項１から請求項７のいずれか１項に記載の電気機器。
【請求項９】
所定時間操作されない場合は前記スイッチ部が前記電気機器に外部からの電流を導通させない状態になる、
請求項１から請求項８のいずれか１項に記載の電気機器。
【請求項１０】
第１のネットワークインタフェースと、
第１の記憶部とを有し、
外部から電流を導通されている場合には、前記第１のネットワークインタフェースを介して前記第１の記憶部にアクセス可能な、
請求項１から請求項９のいずれか１項に記載の電気機器。
【請求項１１】
第２の記憶部を有し、
前記受信部は第２の情報を搬送する電磁波を受信して、前記第２の情報を搬送する電磁波から電力を生成し、
前記第２の記憶部は、前記第２の情報を搬送する電磁波から生成された電力で動作して前記第２の情報を記憶する、
請求項１から請求項１０のいずれか１項に記載の電気機器。
【請求項１２】
第３の記憶部と、
第１の送信部とを有し、
前記スイッチ部が前記電気機器に外部からの電流を導通させている場合には、前記第３の記憶部は第３の情報を記憶し、
前記スイッチ部が前記電気機器に外部からの電流を導通させていない場合には、前記受信部は第４の情報を搬送する電磁波を受信して前記第４の情報を搬送する電磁波から電力を生成し、
前記第１の送信部は、前記第４の情報を搬送する電磁波から生成された電力を供給され、第４の情報に基づいて前記第３の情報を前記第３の記憶部から読み出して送信する、
請求項１から請求項１１のいずれか１項に記載の電気機器。
【請求項１３】
請求項２から請求項１２のいずれか１項に記載の電気機器に対して前記第１の情報を搬送する電磁波を送信する第２の送信部を有する、
遠隔制御装置。
【請求項１４】
請求項３に記載の電気機器に対して前記第１の情報と前記電気機器の装置識別情報とを搬送する電磁波を送信する第２の送信部を有する、
遠隔制御装置。
【請求項１５】
第５の情報を受信する第２のネットワークインタフェースを有し、
前記第２の送信部は前記第５の情報に基づいて前記第１の情報を含む電磁波を送信する、
請求項１３または請求項１４に記載の遠隔制御装置。
【請求項１６】
前記第５の情報は前記電気機器のアドレス解決要求である、
請求項１５に記載の遠隔制御装置。
【請求項１７】
前記電気機器のネットワークアドレスが記憶されている第４の記憶部と、
前記第５の情報が解決しようとするネットワークアドレスが前記第４の記憶部に記憶されているネットワークアドレスであるか否かを判断する判断部とを有し、
前記第５の情報が解決しようとするネットワークアドレスが前記第４の記憶部に記憶されているネットワークアドレスである場合に、前記第２の送信部は前記第１の情報を搬送する電磁波を送信する、
請求項１６に記載の遠隔制御装置。
【請求項１８】
前記電気機器のリンクアドレスを示す第６の情報が記憶されている第５の記憶部を有し、
前記第５の情報が解決しようとするネットワークアドレスが前記第４の記憶部に記憶されているネットワークアドレスである場合に、前記第２のネットワークインタフェースは前記第６の情報を送信する、
請求項１７に記載の遠隔制御装置。
【請求項１９】
前記第５の情報は、前記電気機器の名前、前記電気機器の提供するサービスを識別するサービス識別情報、前記電気機器の保持するコンテンツを識別するコンテンツ識別情報、のいずれかである、
請求項１５に記載の遠隔制御装置。
【発明の詳細な説明】
【技術分野】
【０００１】
本特許出願に係る発明（以後、「本発明」という）は、遠隔制御装置により電源を制御される電気機器及び、この電気機器の電源を制御する遠隔制御装置に関するものである。
【背景技術】
【０００２】
従来の遠隔制御装置により電源を制御される電気機器及び、この電気機器の電源を制御する遠隔制御装置には、例えば下記特許文献１に記載の遠隔制御装置、特許文献２に記載の遠隔制御装置、特許文献３に記載の電源制御装置、などがあった。
【０００３】
特許文献１に記載の遠隔制御装置は、可視範囲や見通し範囲に拘束されない電磁波無線による遠隔制御装置で、遠隔制御のための初期起動時の電力を必要とせず、待機電力がほとんどゼロである遠隔制御装置である。
【０００４】
特許文献２に記載の遠隔制御装置は、高い周波数の微弱電波のエネルギーを効率よく取り出し、待機消費電力がゼロで安定的に遠隔制御可能な遠隔制御装置である。
【０００５】
特許文献３に記載の電源制御装置は、電源の投入、遮断を制御する電源制御装置で、リモコン操作とタイマー操作とが併用される場合に、使用者が期待する動作を実現することを目的とするものである。
【０００６】
この電源制御装置では、スイッチ部のＯＮ／ＯＦＦにより、主電源の電力の負荷側への投入あるいは遮断を制御する。
【０００７】
駆動信号生成部が、起動部から出力される起動信号に基づいて、スイッチ部のＯＮ／ＯＦＦを制御するための駆動信号を生成する。
【０００８】
待機電源は起動部及び駆動信号生成部に動作電力を供給し、停電監視部は主電源の出力を監視して通電信号を生成し、起動部に出力する。
【０００９】
起動部は、通電信号に基いて起動信号を出力する。
【特許文献１】特開２００１−１９７５７３号公報
【特許文献２】特開２００２−２１８６７９号公報
【特許文献３】特開２００５−０７２６８７号公報
【発明の開示】
【発明が解決しようとする課題】
【００１０】
しかしながら、遠隔制御装置により電源を制御される電気機器の一例である、例えば上記のような従来の電源制御装置では、常時、起動部と駆動信号生成部に動作電力を供給する必要があるため、待機時（動作しない時）にも電力を消費するという課題があった。
【課題を解決するための手段】
【００１１】
本発明では、上記課題を解決するため、下記のような手段を採る。
【００１２】
本特許出願に係る請求項１に記載の発明は、
外部からの電流を導通させるスイッチ部を有する電気機器であって、
電磁波を受信し前記電磁波から電力を生成する受信部を有し、
前記スイッチ部は、前記受信部が前記電磁波を受信した場合、前記受信部で生成された電力を供給され、前記電気機器に外部からの電流を導通させる、
電気機器を構成する。
【００１３】
この構成によって、待機時（動作しない時）には、電力を全く消費しないかあるいは少しの電力を消費するだけで、なおかつ遠隔制御装置からの指示によって電気機器の電源を投入することが可能となる。
【００１４】
本特許出願に係る請求項２に記載の発明は、
外部からの電流を導通させるスイッチ部を有する電気機器であって、
第１の情報を搬送する電磁波を受信して前記電磁波から電力を生成する受信部を有し、
前記スイッチ部は前記受信部で生成された電力を供給され、前記第１の情報に基づいて前記電気機器に外部からの電流を導通させる、
電気機器を構成する。
【００１５】
この構成によって、待機時（動作しない時）には電力を全く消費しないかあるいは少しの電力を消費するだけで、遠隔制御装置からの起動により、第１の情報の指定する機器ごとに、電気機器の電源を投入したり、待機時（動作しない時）には行えなかった情報処理の結果を電気機器に設定したりすることが可能になる。
【００１６】
本特許出願に係る請求項３に記載の発明は、
前記電磁波は装置識別情報を搬送し、
前記スイッチ部は、前記装置識別情報に基づいて前記電気機器に外部からの電流を導通させる、
請求項１または請求項２に記載の電気機器を構成する。
【００１７】
この構成によって、待機時（動作しない時）には電力を全く消費しないかあるいは少しの電力を消費するだけで、遠隔制御装置からの起動により、装置識別情報の指定する機器ごとに、電気機器の電源を投入することが可能になる。
【００１８】
本特許出願に係る請求項４に記載の発明は、
計時部と、
時刻情報を受信する時刻情報受信部と、
前記時刻情報を前記計時部に設定する時刻設定部と、
を有する請求項１から請求項３のいずれか１項に記載の電気機器を構成する。
【００１９】
この構成によって、電気機器が電流を投入させられた時に時刻情報を受信することができる。その結果、電気機器が電源を切断されている間は計時部が計時するために必要な電力を消費することなしに、電気機器が電源を投入されている間に時刻を利用した制御を行うことが可能になる。
【００２０】
本特許出願に係る請求項５に記載の発明は、
前記電磁波は前記時刻情報を搬送する、
請求項４に記載の電気機器を構成する。
【００２１】
この構成によって、電気機器に電源を投入する動作と、計時部に時刻を設定する動作とが、同時に実行可能になる。
【００２２】
本特許出願に係る請求項６に記載の発明は、
前記スイッチ部が前記電気機器に外部からの電流を導通させている場合に、
前記時刻情報受信部は電波により放送されている時刻情報を受信し、
前記時刻設定部は受信した前記時刻情報を前記計時部に設定する、
請求項４に記載の電気機器を構成する。
【００２３】
この構成によって、電気機器の電源が投入されている間に電波時計により時刻情報を設定することで、電気機器の電源が切断されている間は計時部が計時するために必要な電力を消費することなく、電源が投入されている間に正確な時刻を利用した制御を行うことが可能になる。
【００２４】
本特許出願に係る請求項７に記載の発明は、
第１のネットワークインタフェースを有し、
前記スイッチ部が前記電気機器に外部からの電流を導通させている場合に、
前記時刻情報受信部は前記第１のネットワークインタフェースを介して時刻情報を受信し、
前記時刻設定部は受信した前記時刻情報を前記計時部に設定する、
請求項４に記載の電気機器を構成する。
【００２５】
この構成によって、電気機器の電源が切断されている間に計時部が計時するために必要な電力を消費することなく、電気機器の電源が投入されている間にネットワークから時刻情報を取得し、時刻を利用した制御を行うことが可能となる。
【００２６】
本特許出願に係る請求項８に記載の発明は、
前記スイッチ部が前記電気機器に外部からの電流を導通させている状態であって、前記受信部が前記電磁波を受信した場合に、
前記スイッチ部は前記電気機器に外部からの電流を導通させたままの状態である、
請求項１から請求項７のいずれか１項に記載の電気機器を構成する。
【００２７】
この構成によって、電源投入以外の遠隔操作は、電気機器は主電源からの給電で動作することが可能になる。その結果、遠隔操作の反応時間を短くしたり、遠隔制御装置の消費電力を抑えたりすることが可能になる。
【００２８】
本特許出願に係る請求項９に記載の発明は、
所定時間操作されない場合は前記スイッチ部が前記電気機器に外部からの電流を導通させない状態になる、
請求項１から請求項８のいずれか１項に記載の電気機器を構成する。
【００２９】
この構成によって、電気機器は一定時間経過後に自動的に主電源を切断されるため、電源の消し忘れを防止することにより消費電力を抑制することができる。また、利用者による電源操作が不要になることから、電源操作に必要となる部品を簡略化することも可能になる。
【００３０】
本特許出願に係る請求項１０に記載の発明は、
第１のネットワークインタフェースと、
第１の記憶部とを有し、
外部から電流を導通されている場合には、前記第１のネットワークインタフェースを介して前記第１の記憶部にアクセス可能な、
請求項１から請求項９のいずれか１項に記載の電気機器を構成する。
【００３１】
この構成によって、電気機器の電源が切断されているときに、遠隔制御装置を使って電気機器の電源を投入し、電気機器の記憶部内に保持されているデータを、第１のネットワークインタフェースを介して読み出すことが可能になる。
【００３２】
本特許出願に係る請求項１１に記載の発明は、
第２の記憶部を有し、
前記受信部は第２の情報を搬送する電磁波を受信して、前記第２の情報を搬送する電磁波から電力を生成し、
前記第２の記憶部は、前記第２の情報を搬送する電磁波から生成された電力で動作して前記第２の情報を記憶する、
請求項１から請求項１０のいずれか１項に記載の電気機器を構成する。
【００３３】
この構成によって、電気機器の電源が切断されているときにも、遠隔制御装置により電気機器の設定を変更することが可能になる。
【００３４】
本特許出願に係る請求項１２に記載の発明は、
第３の記憶部と、
第１の送信部とを有し、
前記スイッチ部が前記電気機器に外部からの電流を導通させている場合には、前記第３の記憶部は第３の情報を記憶し、
前記スイッチ部が前記電気機器に外部からの電流を導通させていない場合には、前記受信部は第４の情報を搬送する電磁波を受信して前記第４の情報を搬送する電磁波から電力を生成し、
前記第１の送信部は、前記第４の情報を搬送する電磁波から生成された電力を供給され、第４の情報に基づいて前記第３の情報を前記第３の記憶部から読み出して送信する、
請求項１から請求項１１のいずれか１項に記載の電気機器を構成する。
【００３５】
この構成によって、電気機器の電源が投入されているときに、電気機器の状態（例えば、チャンネルや温度設定等）を第３の記憶部(タグ等)に保持すれば、電気機器の電源が切断されているときに、この情報を遠隔制御装置を用いて読み出すことが可能になる。
【００３６】
本特許出願に係る請求項１３に記載の発明は、
請求項２から請求項１２のいずれか１項に記載の電気機器に対して前記第１の情報を搬送する電磁波を送信する第２の送信部を有する、
遠隔制御装置を構成する。
【００３７】
この構成によって、待機時（動作しない時）には電力を全く消費しないかあるいは少しの電力を消費するだけの電気機器に対して、遠隔制御装置から電源の投入や設定の指示、確認を行うことが可能となる。
【００３８】
本特許出願に係る請求項１４に記載の発明は、
請求項３に記載の電気機器に対して前記第１の情報と前記電気機器の装置識別情報とを搬送する電磁波を送信する第２の送信部を有する、
遠隔制御装置を構成する。
【００３９】
この構成によって、待機時（動作しない時）には電力を全く消費しないかあるいは少しの電力を消費するだけの電気機器が複数存在するときに、第１の情報によって指定された電気機器に限定して、遠隔制御装置から電源を制御することが可能となる。
【００４０】
本特許出願に係る請求項１５に記載の発明は、
第５の情報を受信する第２のネットワークインタフェースを有し、
前記第２の送信部は前記第５の情報に基づいて前記第１の情報を含む電磁波を送信する、
請求項１３または請求項１４に記載の遠隔制御装置を構成する。
【００４１】
この構成によって、ネットワークを介しての遠隔制御装置を操作することにより、電気機器の電源を制御することが可能になる。
【００４２】
本特許出願に係る請求項１６に記載の発明は、
前記第５の情報は前記電気機器のアドレス解決要求である、
請求項１５に記載の遠隔制御装置を構成する。
【００４３】
この構成によって、遠隔制御装置が電気機器に対するアドレス解決要求を検出すると、電気機器の電源を投入することが可能となる。その結果、待機電力を全く消費しないかあるいは少しの待機電力を消費するだけの電気機器に、ネットワークからアクセスすることが可能になる。
【００４４】
本特許出願に係る請求項１７に記載の発明は、
前記電気機器のネットワークアドレスが記憶されている第４の記憶部と、
前記第５の情報が解決しようとするネットワークアドレスが前記第４の記憶部に記憶されているネットワークアドレスであるか否かを判断する判断部とを有し、
前記第５の情報が解決しようとするネットワークアドレスが前記第４の記憶部に記憶されているネットワークアドレスである場合に、前記第２の送信部は前記第１の情報を搬送する電磁波を送信する、
請求項１６に記載の遠隔制御装置を構成する。
【００４５】
この構成によって、遠隔制御装置が検出したアドレス解決パケットが、どの電気機器のネットワークアドレスを解決しようとしているかを識別し、その電気機器に限定して電源を投入することが可能になる。その結果、待機時に消費電力を要しない電気機器に対して、第三の機器がアクセスしようとした時に、遠隔制御装置が電源を投入することが可能になる。
【００４６】
本特許出願に係る請求項１８に記載の発明は、
前記電気機器のリンクアドレスを示す第６の情報が記憶されている第５の記憶部を有し、
前記第５の情報が解決しようとするネットワークアドレスが前記第４の記憶部に記憶されているネットワークアドレスである場合に、前記第２のネットワークインタフェースは前記第６の情報を送信する、
請求項１７に記載の遠隔制御装置を構成する。
【００４７】
この構成によって、第三の機器がアクセスしようとする電気機器の電源が切断されている場合にも、遠隔制御装置がアドレス解決要求に対して応答することが可能になる。その結果、電気機器の起動が完了する前に、第三の機器は電気機器のリンクアドレスを認知することが可能になるため、電気機器を待機電力を消費しないものにすることが可能になる。
【００４８】
本特許出願に係る請求項１９に記載の発明は、
前記第５の情報は、前記電気機器の名前、前記電気機器の提供するサービスを識別するサービス識別情報、前記電気機器の保持するコンテンツを識別するコンテンツ識別情報、のいずれかである、
請求項１５に記載の遠隔制御装置を構成する。
【００４９】
この構成によって、遠隔制御装置がサービス探索を行うパケットを検出し、そのサービスを提供している電気機器の電源を投入したり、コンテンツ探索を行うパケットを検出し、そのコンテンツを保持する電気機器の電源を投入したり、といったことが可能になる。その結果、これらのサービスを提供する電気機器や、コンテンツを保持する電気機器の待機電力を消費しないものにすることが可能になる。
【発明の効果】
【００５０】
本発明では、上記手段を採ることによって、待機時（動作しない時）には、電力を全く消費しないかあるいは少しの電力を消費するだけで、なおかつ遠隔制御装置からの指示によって電気機器の電源を投入することが可能となる。
【発明を実施するための最良の形態】
【００５１】
図１に、本発明に係る電気機器を実施するための最良の形態の１つである電気機器１００のブロック構成図を示す。なお、電気機器１００の初期状態は、電気機器１００に外部からの電流が導通されていない状態である。
【００５２】
電気機器１００は、受信部１０１、スイッチ部１０２、及び内部回路１０３を有している。
【００５３】
受信部１０１は外部からの電磁波１０５を受信し、電力１０７を生成する。受信部１０１は例えば電磁波１０５を受信するアンテナ（図示せず）と、電力１０７を生成するための整流器（図示せず）とを有している。なお、受信部１０１はこれら以外の部分を有していても構わない。
【００５４】
受信部１０１で生成された電力１０７はスイッチ部１０２へ送られる。
【００５５】
スイッチ部１０２に電力１０７が供給されると、スイッチ部１０２はその電力によって電源投入状態となり、外部電源１０４から供給される電流１０８を電流１０９として電気機器１００の内部回路１０３へ導通させる。
【００５６】
このように、スイッチ部１０２は、受信部１０１が電磁波１０５を受信した場合に、電気機器１００に外部からの電流１０８を導通させるので、受信部１０１が電磁波１０５の受信を契機として、スイッチ部１０２を電源遮断状態から電源投入状態にすることができる。なお、ここでいう電源投入状態とは、電気機器１００が外部からの電流を導通されている状態をいい、電源遮断状態とは、電気機器１００が外部からの電流を導通されていない状態をいう。
【００５７】
外部電源１０４は、電気機器１０４に外部からの電流を供給するものである。なお、外部からの電流は、例えば家庭用電源から供給される交流電流であっても構わないし、例えば電池から供給される直流電流であっても構わない。
【００５８】
また、例えば、電気機器１００は、テレビ、ビデオ、ＤＶＤ、ポータブルオーディオ、懐中電灯、エアコン、洗濯機、掃除機、温水便座、給湯器、電子レンジ、冷蔵庫、炊飯器、ポット、電話、照明器、コンピュータ、ファックスなど、家庭用、業務用に用いられる電気機器であれば、何であってもよい。
【００５９】
本実施の形態における電気機器は、受信した電磁波から電力を生成し、生成された電力によって、スイッチ部を動作させることができる。その結果、電気機器１００に待機電力を供給することなく、例えばリモコンなどの遠隔制御装置を使って電気機器１００に外部からの電流を導通させることができる。
【００６０】
以下に、本発明を実施するためのその他の形態を、実施例として説明する。
【実施例１】
【００６１】
図２に、本発明に係る実施例１における電気機器２００及び遠隔制御装置２５０のブロック構成図を示す。なお、電気機器２００の初期状態は、電気機器２００に外部からの電流が導通されていない状態である。
【００６２】
電気機器２００は、受信部２０１、スイッチ部２０２、及び内部回路２０３を有している。
【００６３】
受信部２０１は電磁波２０５を受信し、電力２０７を生成する。この電磁波２０５は、電気機器２００に外部からの電流を導通させる指示情報である第１の情報２０６を搬送している。
【００６４】
受信部２０１は、例えば電磁波２０５を受信するアンテナ（図示せず）と、電力２０７を生成するための整流器（図示せず）と、第１の情報２０６を取り出すための復調部（図示せず）とを有している。なお、受信部２０１は、蓄電部など、他の部分を有していても構わない。整流器（図示せず）で生成された電力は、復調部（図示せず）やスイッチ部２０２などを動作させる電力となる。
【００６５】
受信部２０１で生成された電力２０７はスイッチ部２０２へ送られる。
【００６６】
受信部２０１の上記復調部は、電磁波２０５を復調し、第１の情報２０６を取り出す。受信部２０１の復調部が取り出した第１の情報２０６も、スイッチ部２０２へ送られる。
【００６７】
スイッチ部２０２に電力２０７が供給されると、スイッチ部２０２は、電気機器２００に外部からの電流を導通させる指示情報である第１の情報２０６に基づいて、電源遮断状態から電源投入状態となる。
【００６８】
遠隔制御装置２５０は、電気機器２００に外部からの電流を導通させる指示情報である第１の情報を搬送する電磁波を送信する第２の送信部２５４を有する。
【００６９】
電気機器２００は、受信した電磁波２０５から電力２０７を生成し、生成された電力２０７によってスイッチ部２０２を動作させることができる。その結果、電気機器２００に、待機電力を供給することなく、例えばリモコンなどの遠隔制御装置２５０を使って、電気機器２００に外部からの電流を導通させることができる。
【００７０】
また、第１の情報２０６を搬送する電磁波２０５が装置識別情報をも搬送する場合は、スイッチ部２０２は、その装置識別情報に基づいて、電源投入状態となるか否かを判断する。例えば、電磁波２０５が搬送する装置識別情報が電気機器２００の装置識別情報と一致するか否かによって、電源投入状態となるか否かを判断する。
【００７１】
装置識別情報とは、電気機器２００を識別する情報である。例えば、電気機器２００の名称、電気機器２００のネットワークアドレス、または電気機器のリンクアドレスなどでも構わないし、電気機器２００に貼布された無線タグの識別子や識別番号でも構わない。
【００７２】
このようにして、遠隔制御装置２５０から電磁波２０５の届く範囲に存在する電気機器の中で、電源投入状態にされる電気機器２００を特定することができる。
【００７３】
例えば、１つの室内にテレビとエアコンが設置されている時、エアコンの識別番号を指定することでエアコンの電源だけをリモコンから投入することができ、テレビの識別番号を指定することでテレビの電源だけをリモコンから投入することができる。そのため、１台のリモコンでテレビとエアコンとの電源投入を切り替えることができる。
【００７４】
また、この時、遠隔制御装置２５０から複数の装置識別情報を搬送する電磁波２０５を送信することによって、複数の電気機器２００のスイッチ部２０２を一斉に電源投入状態とすることができる。つまり、複数の電気機器２００をあたかも１台の電気機器であるかのように扱うことができる。
【００７５】
例えば、テレビとステレオオーディオとの電源を同時に投入し、音声は常にステレオオーディオから聞くこともできる。
【００７６】
あるいは、エアコンの電源と、扇風機の電源とを同時にオンすることもできる。
【００７７】
その他、ビデオとテレビ、照明器とコタツ、等々のように、同時に動作することで固有の効果を得ることのできるもの、あるいは連動して動作することで固有の効果を得ることのできるものであれば、何であっても構わない。
【００７８】
このようにして、スイッチ部２０２は電源投入状態となり、外部電源２０４から供給される電流２０８を電流２０９として電気機器２００の内部回路２０３へ導通させる。
【００７９】
また、スイッチ部２０２が既に電源投入状態となっている場合、受信部２０１が第１の情報２０６を搬送する電磁波２０５を受信したときに、受信部２０１は電力２０７をスイッチ部２０２に供給しなくても構わない。従って、遠隔制御装置２５０において、電気機器２００を電源投入状態にする操作以外の操作において、電磁波２０５の出力を比較的小さなものとすることができ、遠隔制御装置２５０の消費する電力を抑えることができる。また、電磁波２０５の出力と比べ、スイッチ部２０２の駆動に要する電力が大きい場合においては、受信部２０１に蓄電部を備え、電磁波２０５から生成された電力を所定の時間、蓄電部に蓄える方法が考えられる。このような方法を採用した場合に、遠隔制御装置２５０からの電源投入以外の操作において、蓄電部に電力を蓄える時間を要することなく、電気機器２００を操作することができる。
【００８０】
さらにまた、電気機器２００が所定の期間継続して何らの操作も行われない場合には、スイッチ部２０２が電源遮断状態になっても構わない。従って、電気機器２００の電源の切り忘れを防止することで消費電力を抑えることができると共に、電気機器２００から電源遮断スイッチをなくし、電気機器２００の操作性を向上させることができる。
【００８１】
例えば、遠隔制御装置２５０が電話機、電気機器２００がスピーカである場合において、電話機が電話の着信を受けたときに、電話機が電磁波をスピーカに送信することにより、スピーカの電源を投入する。所定時間、スピーカや電話機の操作が行われなければ、スピーカのスイッチ部２０２は電源遮断状態になる。これによって、スピーカにおいて、スピーカのスイッチ部２０２を電源遮断状態にする操作部が不要となる。
【００８２】
電気機器２００は、例えば、テレビ、ビデオ、ＤＶＤ、ポータブルオーディオ、懐中電池、エアコン、洗濯機、掃除機、温水便座、給湯器、電子レンジ、冷蔵庫、炊飯器、ポット、電話、照明器、コンピュータ、ファックスなど、家庭用、業務用の電気機器であれば、何であってもよい。
【００８３】
特に、電気機器２００は、常時電源が入っている必要のない装置、例えば、エアコン、空気清浄機、テレビ、ビデオ（ＨＤＤ、ＤＶＤ、ＣＤ等を含む）、オーディオ、電子レンジ、給湯機、家庭用燃料電池、照明器、クッキングヒータ、ポット、洗濯機、乾燥機、食器洗浄機、温水便座、マッサージ機、カーナビ等であれば、より有効である。
【００８４】
また、電気機器２００は、一定温度になれば電源を切ってもよい冷蔵庫、遮断状態となった時にも電源を入れることのできるブレーカ等であっても構わない。さらに、電池の寿命を延ばすことができる携帯オーディオやセンサタグ、アクチュエータタグ等であっても構わない。
【００８５】
遠隔制御装置２５０は、リモコンや、携帯電話、携帯端末装置のように、各機器を操作するための操作パネルを有するものであっても構わないし、操作パネルを有さない電気機器であってもかまわない。
【００８６】
例えば、リモコン、携帯情報機器、携帯電話、ノート型パソコン、その他の携帯型電気機器、テレビ、ビデオ、ＤＶＤ、エアコン、洗濯機、掃除機、炊飯器、ポット、電話、照明器、コンピュータ、ファックスなど、家庭用、業務用の電気機器であれば、何であってもよい。
【００８７】
なお、第１の情報２０６を搬送する電磁波の周波数は、１００ｋＨｚ以上１０ＧＨｚ以下が好ましい。第１の情報２０６を搬送する電磁波２０５が、１００ｋＨｚ以上であれば、電気機器２００の受信部２０１が電磁波２０５から電力を十分に生成することができ、１０ＧＨｚ以下であれば、第１の情報２０６を搬送する電磁波２０５の伝送距離を確保できるからである。特に、電磁波２０５は、１３５ｋＨｚ帯、１３．５６ＭＨｚ帯、４３３ＭＨｚ帯、８６０〜９６０ＭＨｚ帯、２．４５ＧＨｚ帯、または５．８ＧＨｚ帯であることが望ましい。第１の情報２０６を搬送する電磁波２０５が、これらの周波数帯であると、第１の情報２０６を搬送する電磁波の十分な伝送距離を確保できると共に、本実施例１におけるデータ通信と他の通信との混信を防止できるからである。また、第１の情報２０６を搬送する電磁波２０５の伝送可能距離は、１０ｃｍから１００ｍ程度が望ましいが、この範囲に限定されるものではない。
【００８８】
このような実施例１によって、例えば電気機器２００に待機電力を供給することなく、例えば遠隔制御装置２５０から送信される上記第１の情報２０６によって、上記各種電気機器２００の電源を制御することができる。
【００８９】
また、電気機器の実施例１は、受信した電磁波から電力を生成し、生成された電力によって、スイッチ部を動作させることができる。その結果、電気機器２００に、待機電力を供給することなく、例えばリモコンなどの遠隔制御装置２５０を使って、電気機器２００に外部からの電流を導通させることができる。
【実施例２】
【００９０】
図３に、本発明に係る電気機器の実施例２である電気機器３００のブロック構成図を示す。なお、特に説明しない限りは、本発明を実施するための最良の形態及び実施例１と同じであるので、重複した説明は省略する。
【００９１】
電気機器３００は、受信部３０１、スイッチ部３０２、内部回路３０３を有している。
【００９２】
内部回路３０３は、時刻設定部３３１と、計時部３３２とを有している。
【００９３】
電気機器３００と内部回路３０３とは、これら以外の部分を有していても構わない。
【００９４】
受信部３０１は電磁波３０５を受信し、電力３０７を生成する。受信部３０１は例えば電磁波３０５を受信するアンテナ（図示せず）と、電力３０７を生成するための整流器（図示せず）と、第１の情報３０６を取り出すための復調部（図示せず）と、電力を一時的に蓄積するための蓄電部（図示せず）と、その他の部分とを有している。
【００９５】
受信部３０１で生成された電力３０７はスイッチ部３０２へ送られる。
【００９６】
受信部３０１は、電磁波３０５に含まれる第１の情報３０６を取り出し、この取り出した第１の情報３０６もスイッチ部３０２へ送られる。
【００９７】
スイッチ部３０２に電力３０７が供給されると、スイッチ部３０２はその電力によって電源投入状態となり、外部電源３０４から供給される電流３０８を電流３０９として、電気機器３００の内部回路３０３へ導通させる。
【００９８】
従って、本実施例２における電気機器３００は、受信した電磁波から電力を生成し、生成された電力によって、スイッチ部を動作させることができる。その結果、電気機器３００に待機電力を供給することなく、例えばリモコンなどの遠隔制御装置を使って電気機器３００に外部からの電流を導通させることができる。
【００９９】
また、本実施例２では、電磁波３０５には、時刻情報３３３が含まれている。この時刻情報３３３は、受信部３０１で復号・抽出され、内部回路３０３の時刻設定部３３１に送られ、計時部３３２に設定される。
【０１００】
計時部３３２とは、正確な周期のクロックに基づいて現在時刻を刻む部分であり、時刻設定部とは、受信部３０１で受信した時刻情報３３３を計時部３３２に設定する部分である。
【０１０１】
スイッチ部３０２が電源遮断状態で、外部電源３０４からの電流３０８が電流３０９として内部回路３０３に供給されていない状態では、計時部３３２が現在時刻を計時することができない。
【０１０２】
そこで、電磁波３０５によって外部電源３０４からの電流を内部回路３０３に供給するための指示情報を送信するのと同時に時刻情報３３３を送信し、計時部３３２に設定することができる。
【０１０３】
例えば、リモコンが現在時刻を計時している時には、その計時している時刻情報３３３を電気機器３００に対して送信し、計時部３３２に現在時刻として設定することができる。
【実施例３】
【０１０４】
図４に、本発明に係る電気機器の実施例３である電気機器４００のブロック構成図を示す。なお、特に説明しない限りは、本発明を実施するための最良の形態及び実施例１〜２と同じであるので、重複した説明は省略する。
【０１０５】
電気機器４００は、受信部４０１、スイッチ部４０２、内部回路４０３を有している。
【０１０６】
内部回路４０３は、時刻設定部４３１と、計時部４３２と、時刻情報受信部４３４とを有している。
【０１０７】
電気機器４００と内部回路４０３とは、これら以外の部分を有していても構わない。
【０１０８】
受信部４０１は電磁波４０５を受信し、電力４０７を生成する。受信部４０１は例えば電磁波４０５を受信するアンテナ（図示せず）と、電力４０７を生成するための整流器（図示せず）と、第１の情報４０６を取り出すための復調部（図示せず）と、電力を一時的に蓄積するための蓄電部（図示せず）と、その他の部分とを有している。
【０１０９】
受信部４０１で生成された電力４０７はスイッチ部４０２へ送られる。
【０１１０】
受信部４０１は、電磁波４０５に含まれる第１の情報４０６を取り出し、この取り出した第１の情報４０６もスイッチ部４０２へ送られる。
【０１１１】
スイッチ部４０２に電力４０７が供給されると、スイッチ部４０２はその電力によって電源投入状態となり、外部電源４０４から供給される電流４０８を電流４０９として電気機器４００の内部回路４０３へ導通させる。
【０１１２】
従って、本実施例３における電気機器４００は、受信した電磁波から電力を生成し、生成された電力によって、スイッチ部を動作させることができる。その結果、電気機器４００に待機電力を供給することなく、例えばリモコンなどの遠隔制御装置を使って電気機器４００に外部からの電流を導通させることができる。
【０１１３】
また、本実施例３では、電気機器４００の内部回路４０３は時刻情報受信部４３４を有し、この時刻情報受信部４３４は、放送受信部（図示せず）あるいは、ネットワークインタフェース（図示せず）を経由して、時刻情報４３３を受信する。
【０１１４】
例えば、電気機器４００が放送受信部を有する例では、デジタルテレビ放送や電波で放送されている時刻情報４３３を時刻情報受信部４３４が受信し、その時刻情報４３３を時刻設定部４３１が計時部４３２に設定する。
【０１１５】
あるいは、電気機器４００がネットワークインタフェースを有する例では、ネットワークに接続されている各種機器、例えば、ネットワーク時間サーバー（ＮＴＰサーバー）や、ホームルーター、リモコン、テレビ、ビデオ、電子レンジ、炊飯器、電話機、エアコン、及び、その他各種家庭用、業務用の電気機器で時刻情報を保持しているものから、時刻情報４３３を、ネットワークを経由して時刻情報受信部４３４が受信し、その時刻情報４３３を時刻設定部４３１が計時部４３２に、現在時刻として設定する。
【０１１６】
計時部４３２とは、正確な周期のクロックに基づいて現在時刻を刻む部分であり、時刻設定部４３１とは、時刻情報受信部４３４で受信した時刻情報４３３を計時部４３２に設定する部分である。
【０１１７】
スイッチ部４０２が電源遮断状態で、外部電源４０４からの電流４０８が電流４０９として内部回路４０３に供給されていない状態では、計時部４３２が現在時刻を記憶保持することができない。
【０１１８】
そこで、電磁波４０５によって外部電源４０４からの電流を内部回路４０３に供給するための指示情報を送信し、スイッチ部４０２が電源投入状態となり、外部電源４０４からの電流４０８が電流４０９として内部回路４０３に供給された状態となった後に、時刻情報４３３を受信し、計時部４３２に設定することができる。
【０１１９】
例えば、ネットワークに接続された電話機が現在時刻を計時しているときには、電気機器４００がリモコンにより電源を投入された後、その計時している時刻情報を、ネットワークを経由して時刻情報受信部４３４が受信し、計時部４３２に現在時刻情報として設定することができる。
【実施例４】
【０１２０】
図５に、本発明に係る電気機器の実施例４である電気機器５００と遠隔制御装置８５０とのブロック構成図を示す。なお、特に説明しない限りは、本発明を実施するための最良の形態及び実施例１〜３と同じであるので、重複した説明は省略する。
【０１２１】
電気機器５００は、受信部５０１、スイッチ部５０２、内部回路５０３、及び、第１のネットワークインタフェース５４２とを有している。
【０１２２】
内部回路５０３は、第１の記憶部５４１を有している。
【０１２３】
電気機器５００と内部回路５０３とは、これら以外の部分を有していても構わない。
【０１２４】
受信部５０１は電磁波５０５を受信し、電力５０７を生成する。受信部５０１は例えば電磁波５０５を受信するアンテナ（図示せず）と、電力５０７を生成するための整流器（図示せず）と、第１の情報５０６を取り出すための復調部（図示せず）と、電力を一時的に蓄積するための蓄電部（図示せず）と、その他の部分とを有している。
【０１２５】
受信部５０１で生成された電力５０７はスイッチ部５０２へ送られる。
【０１２６】
受信部５０１は、電磁波５０５に含まれる第１の情報５０６を取り出し、この取り出した第１の情報５０６もスイッチ部５０２へ送られる。
【０１２７】
スイッチ部５０２に電力５０７が供給されると、スイッチ部５０２はその電力によって電源投入状態となり、外部電源５０４から供給される電流５０８を電流５０９として電気機器５００の内部回路５０３へ導通させる。
【０１２８】
従って、本実施例４における電気機器５００は、受信した電磁波から電力を生成し、生成された電力によって、スイッチ部を動作させることができる。その結果、電気機器５００に待機電力を供給することなく、例えばリモコンなどの遠隔制御装置を使って電気機器５００に外部からの電流を導通させることができる。
【０１２９】
また、本実施例４では、電気機器５００の内部回路５０３は第１の記憶部５４１を有し、この第１の記憶部５４１は、第１のネットワークインタフェース５４２を経由して、ネットワーク５６０と接続されている。
【０１３０】
また、ネットワーク５６０は、第三の機器である他の装置５３３と接続されており、第２のネットワークインタフェース５５５を介して遠隔制御装置５５０とも接続されている。
【０１３１】
電気機器５００のスイッチ部５０２が電源遮断状態の場合には、遠隔制御装置５５０もしくは他の装置５３３から、ネットワークを介して第１の記憶部５４１内のデータを読み取ることができない。
【０１３２】
そこで、遠隔制御装置５５０から外部電源５０４からの電流を内部回路５０３に供給するための指示情報である第１の情報５０６を送信することにより、スイッチ部５０２が電源投入状態となる。そして、外部電源５０４からの電流５０８が電流５０９として内部回路５０３に供給された状態となった後に、遠隔制御装置５５０もしくは他の装置５３３から、電気機器５００の第１のネットワークインタフェース５４２とネットワーク５６０等とを経由して、電気機器５００の第１の記憶部５４１に保持されているデータを読み取ることができる。
【０１３３】
また、電気機器５００のスイッチ部５０２が電源遮断状態の場合には、遠隔制御装置５５０もしくは他の装置５３３から、ネットワークを介して第１の記憶部５４１内に情報を書き込むことができない。
【０１３４】
そこで、遠隔制御装置５５０から外部電源５０４からの電流を内部回路５０３に供給するための指示情報である第１の情報５０６を送信することにより、スイッチ部５０２が電源投入状態となる。そして、外部電源５０４からの電流５０８が電流５０９として内部回路５０３に供給された状態となった後に、遠隔制御装置５５０もしくは他の装置５３３から、電気機器５００の第１のネットワークインタフェース５４２と、ネットワーク５６０等とを経由して、電気機器５００の第１の記憶部５４１内に情報を書き込むことができる。
【０１３５】
例えば、電気機器５００がテレビで、他の装置５３３がビデオであれば、電気機器５００であるテレビで現在選択されているチャンネルを、他の装置５３３であるビデオから読み取ることができるし、他の装置５３３であるビデオで選択されているチャンネルを、電気機器５００であるテレビに設定することもできる。あるいはまた、他の装置５３３であるビデオが保有する映像情報自体を、電気機器５００であるテレビに送信することもできる。
【０１３６】
また、例えば、電気機器５００がテレビで、遠隔制御装置５５０がリモコンであれば、電気機器５００であるテレビで現在選択されているチャンネルを、遠隔制御装置５５０であるリモコンで取得することができるし、遠隔制御装置５５０であるリモコンで現在選択されているチャンネルを、電気機器５００であるテレビに設定することもできる。あるいはまた、電気機器５００であるテレビが受信した映像情報自体を他の装置５３３であるビデオに送信し、録画することもできる。
【０１３７】
また、例えば、電気機器５００が有する第１の記憶部５４１が大容量のＨＤＤ（ハードディスク・ドライブ）であれば、この大容量のＨＤＤを、他の装置５３３や遠隔制御装置５５０で共有することができる。
【０１３８】
このようにして、電気機器５００の電源の投入を例えば電磁波５０５により行うことで、電気機器５００は大容量のデータをネットワーク５６０を経由して高速に通信できる機能を備えたまま、待機電力を消費しない機器とすることが可能となる。
【０１３９】
また、例えば、電気機器５００が携帯電話で第１の記憶部５４１がその画像メモリであれば、その携帯電話の画面にインターネットを経由して各種の画像データを送信することができる。
【０１４０】
また、例えば、電気機器５００が電子レンジで第１の記憶部５４１がその内部メモリであるならば、その電子レンジにインターネットのサーバを経由して各種の調理・食材情報を送信することができる。
【０１４１】
さらにまた、例えば、電気機器５００がテレビで、他の装置５３３がビデオで、遠隔制御装置５５０が照明機器であれば、ビデオが照明機器にテレビの電源の投入を依頼し、照明機器は電磁波５０５を送信してテレビの電源を投入し、ビデオは電源が投入されたテレビからネットワーク５６０を経由して映像情報を取得、あるいは送信することができる。
【０１４２】
また、例えば、電気機器５００がネットワークカメラで、他の装置５３３がビデオで、遠隔制御装置５５０が照明機器であれば、ビデオが照明機器にネットワークカメラの電源の投入を依頼し、照明機器は電磁波５０５を送信してネットワークカメラの電源を投入し、ビデオは電源が投入されたネットワークカメラからネットワーク５６０を経由して映像情報を取得することができる。
【実施例５】
【０１４３】
図６に、本発明に係る電気機器の実施例５である電気機器６００のブロック構成図を示す。
【０１４４】
電気機器６００は、受信部６０１、スイッチ部６０２、内部回路６０３、及び、第２の記憶部６４１を有している。
【０１４５】
電気機器６００は、これら以外の部分を有していても構わない。
【０１４６】
受信部６０１は電磁波６０５を受信し、電力６０７を生成する。受信部６０１は例えば電磁波６０５を受信するアンテナ（図示せず）と、電力６０７を生成するための整流器（図示せず）と、第１の情報６０６を取り出すための復調部（図示せず）と、電力を一時的に蓄積するための蓄電部（図示せず）と、その他の部分とを有している。
【０１４７】
受信部６０１で生成された電力６０７はスイッチ部６０２へ送られる。
【０１４８】
受信部６０１は、電磁波６０５に含まれる第１の情報６０６を取り出し、この取り出した第１の情報６０６もスイッチ部６０２へ送られる。
【０１４９】
スイッチ部６０２に電力６０７が供給されると、スイッチ部６０２はその電力によって電源投入状態となり、外部電源６０４から供給される電流６０８を電流６０９として電気機器６００の内部回路６０３へ導通させる。
【０１５０】
従って、本実施例５における電気機器６００は、受信した電磁波６０５から電力を生成し、生成された電力によって、スイッチ部６０２を動作させることができる。その結果、電気機器６００に待機電力を供給することなく、例えばリモコンなどの遠隔制御装置を使って電気機器６００に外部からの電流を導通させることができる。
【０１５１】
また、本実施例５は、それ以外の部分については上記実施の形態及び実施例１〜４と同様であり、詳細な説明は省略する。
【０１５２】
また、本実施例５では、電気機器６００は第２の記憶部６４１を有している。
【０１５３】
そして、受信部６０１は、電磁波６２２をも受信し、電力６１１を生成する。
【０１５４】
受信部６０１で生成された電力６１１は、第２の記憶部６４１へ送られる。
【０１５５】
第２の記憶部６４１は、受信部６０１から送られた電力６１１によって書き込み可能である。
【０１５６】
また、電磁波６２２には第２の情報６２３が含まれ、受信部６０１は電磁波６２２と共にこの情報６２３を受信し、復調し、抽出して、第２の記憶部６４１に送る。
【０１５７】
第２の記憶部６４１は、受信部６０１から送られた電力６１１を使って、受信部６０１から送られた第２の情報６２３を記憶する。
【０１５８】
この第２の記憶部６４１による第２の情報６２３の記憶は、電気機器６００の電源の状態とは無関係に行うことができる。
【０１５９】
従って、電気機器６００の電源が遮断されている時にも、電気機器６００の電源を投入することなく、第２の記憶部６４１に第２の情報６２３を記憶することができる。第２の記憶部６４１が記憶した第２の情報６２３は、電気機器６００の電源が投入された後に利用することができる。
【０１６０】
つまり、電気機器６００の電源を投入することなく、第２の記憶部６４１に第２の情報６２３を記憶することができるため、電気機器６００の電力消費を抑えることができる。
【０１６１】
例えば、電気機器６００が電子レンジであれば、例えば調理のための出力電力や加熱時間などの調理方法を第２の記憶部６４１に記憶しておき、電子レンジで加熱調理する時にこれらの情報を取り出して利用することができる。
【０１６２】
また、例えば、電気機器６００がビデオであれば、ビデオの録画予約チャンネルと録画予約時間とを、ビデオの電源が遮断された状態のままで第２の記憶部６４１に記憶しておき、ビデオの電源が投入されたときに予約された録画を行うことができる。
【０１６３】
また、例えば、電気機器６００がエアコンであれば、エアコンの設定温度を、エアコンの電源が遮断された状態のままで第２の記憶部６４１に記憶しておき、エアコンの電源が投入されたときに予約された温度設定に従ってエアコンの運転を行うことができる。
【０１６４】
この電磁波６２２を送信する機器と電磁波６０５とを送信する機器とは、同一機器であっても構わないし、異なる機器であっても構わない。
【０１６５】
例えば、電磁波６０５を送信するのはリモコンで、電磁波６２２を送信するのは照明機器であっても構わない。
【０１６６】
このような例では、照明機器からビデオの録画チャンネルやエアコンの温度設定を行い、リモコンが予約時刻に電源を投入することができる。
【実施例６】
【０１６７】
図７に、本発明に係る電気機器の実施例６である電気機器７００のブロック構成図を示す。
【０１６８】
電気機器７００は、受信部７０１、スイッチ部７０２、内部回路７０３、第３の記憶部７４１、及び、第３の送信部７７１とを有している。
【０１６９】
電気機器７００は、これら以外の部分を有していても構わない。
【０１７０】
受信部７０１は電磁波７０５を受信し、電力７０７を生成する。受信部７０１は例えば電磁波７０５を受信するアンテナ（図示せず）と、電力７０７を生成するための整流器（図示せず）と、第１の情報７０６を取り出すための復調部（図示せず）と、電力を一時的に蓄積するための蓄電部（図示せず）と、その他の部分とを有している。
【０１７１】
受信部７０１で生成された電力７０７はスイッチ部７０２へ送られる。
【０１７２】
受信部７０１は、電磁波７０５に含まれる第１の情報７０６を取り出し、この取り出した第１の情報７０６もスイッチ部７０２へ送られる。
【０１７３】
スイッチ部７０２に電力７０７が供給されると、スイッチ部７０２はその電力によって電源投入状態となり、外部電源７０４から供給される電流７０８を電流７０９として電気機器７００の内部回路７０３へ導通させる。
【０１７４】
従って、本実施例６における電気機器７００は、受信した電磁波７０５から電力７０７を生成し、生成された電力７０７によってスイッチ部７０２を動作させることができる。その結果、電気機器７００に待機電力を供給することなく、例えばリモコンなどの遠隔制御装置を使って電気機器７００に外部からの電流を導通させることができる。
【０１７５】
本実施例６は、それ以外の部分については上記実施の形態及び実施例１〜５と同様であり、詳細な説明は省略する。
【０１７６】
図１１には、実施例６における受信部７０１と送信部７７１の詳細構成図を示す。
【０１７７】
受信部７０１は、電力７０７、電力７１１および電力７１５を生成する部分と、第１の情報７０６および第４の情報７２３を取り出す部分とに大別できる。
【０１７８】
図１１に示す通り、電力７０７、電力７１１および電力７１５を生成する部分は、アンテナとコンデンサとから構成される同調部１１４２と、整流ダイオードから構成される整流器１１４３と、コンデンサとコイルとから構成される平滑器１１４４と、ツェナーダイオードから構成される安定器１１４５とを有している。
【０１７９】
但し、これはあくまでも極めて単純な一例であり、このような構成に限るものではないし、これら以外の種々の構成要素や部分を含んでいても構わない。
【０１８０】
第１の情報７０６および第４の情報７２３を取り出す部分は、アンテナとの接続を入力と出力とに切り替えるサーキュレータ１１０２と、特定の周波数の電波を選択するバンドパスフィルタ１１０３と、検波を行う検波器１１０４と、低周波数成分を取り出すローパスフィルタ１１０５と、デジタル信号を取り出す復調器１１０６とから構成される。これらの各要素には上記電力生成部で生成された電力が供給される。
【０１８１】
但し、これはあくまでも極めて単純な一例であり、このような構成に限るものではないし、これら以外の種々の構成要素や部分を含んでいても構わない。
【０１８２】
第３の情報７３８を送出する送信部７７１は、図１１に示す通り、高周波発振器１１２０と、高周波変調を行う変調器１１２２と、高周波成分を抽出するハイパスフィルタ１１２３と、出力信号の増幅を行う増幅器１１２４とから構成される。これらの各要素には上記電力生成部で生成された電力７１５が供給される。
【０１８３】
但し、これはあくまでも極めて単純な一例であり、このような構成に限るものではないし、これら以外の種々の構成要素や部分を含んでいても構わない。
【０１８４】
これらの構成は電磁波の周波数や変調方式等に応じて変更されても構わない。
【０１８５】
また、本発明の実施するための最良の形態および実施例１〜実施例５、実施例７〜実施例９における、受信部１０１〜受信部１００１の構成や、他の送信部の構成も、実施例６における受信部７０１や送信部７７１の構成と実質的に同様である。
【０１８６】
また、本実施例６では、電気機器７００は第３の記憶部７４１を有している。
【０１８７】
そして、受信部７０１は、電磁波７２２をも受信し、電力７１１を生成する。
【０１８８】
受信部７０１で生成された電力７１１は、第３の記憶部７４１へ送られる。
【０１８９】
第３の記憶部７４１は、受信部７０１から送られた電力７１１によって読み出し可能となる。
【０１９０】
第３の記憶部７４１には、電気機器７００の電源が投入されている時に、内部回路７０３から第３の情報７３７が書き込まれる。
【０１９１】
電磁波７２２には、第４の情報７２３が含まれ、受信部７０１は電磁波７２２と共にこの情報７２３を受信し、復調し、抽出して、第３の記憶部７４１に送る。
【０１９２】
この第４の情報７２３は、第３の記憶部７４１に記憶している情報の読み出し指示情報である。
【０１９３】
第３の記憶部７４１は、受信部７０１から送られた電力７１１を使って、受信部７０１から送られた第４の情報７２３を受けとり、その内容を解読し、その指示内容に従って、第３の記憶部に記憶している情報を読み出し、第３の情報７３８として第３の送信部７７１へ送り出す。
【０１９４】
第３の送信部７７１は、受信部７０１から送られた電力７１５を使って、第３の情報７３８を電磁波７３９を用いて他の装置に送り出す。
【０１９５】
この第３の記憶部７４１に記憶された第３の情報７３８の読み出しと電磁波７３９による送出は、電気機器７００の電源の状態に無関係に行うことができる。
【０１９６】
従って、電気機器７００の電源が遮断されている時にも、電気機器７００の電源を投入することなく、第３の記憶部７４１から第３の情報７３８を読み出すことができるため、電気機器７００の電源が投入されていない状態のままで、第３の記憶部７４１が記憶している第３の情報７３７の内容を知り、利用することができる。
【０１９７】
第３の記憶部７４１から第３の情報７３８を読み出し、第３の情報７３７の内容を知る時にも、電気機器７００の電源を投入する必要が無いため、電気機器７００の消費電力を抑えることができる。
【０１９８】
例えば、電気機器７００が電子レンジであれば、例えば調理した時の出力電力や加熱時間などの調理経緯を第３の記憶部７４１に記憶しておき、電子レンジで加熱調理した後でその情報を取り出して利用することができる。
【０１９９】
また、例えば、電気機器７００がテレビであれば、テレビの視聴チャンネルを、テレビの電源が遮断された状態のままで、第３の記憶部７４１から取り出すことができる。
【０２００】
また、例えば、電気機器７００がエアコンでれば、エアコンの作動予定時刻やその時の設定温度、現在あるいは最後の温度状態を、エアコンの電源が遮断された状態のままで第３の記憶部７４１から取り出して利用することができる。
【０２０１】
この電磁波７２２を送信する機器と電磁波７０５とを送信する機器、電磁波７３９を受信する機器は、同一機器であっても構わないし、異なる機器であっても構わない。
【０２０２】
例えば、電磁波７０５を送信するのはリモコンで、電磁波７２２を送信するのと電磁波７３９を受信するのは照明機器であっても構わない。
【０２０３】
このような例では、照明機器でビデオの映像のカテゴリを読み出し、リモコンでビデオの電源を投入する前に、映像に合わせた明るさに照明機器を制御することができる。
【実施例７】
【０２０４】
図８に、本発明に係る電気機器の実施例７である電気機器８００と遠隔制御装置８５０とのブロック構成図を示す。
【０２０５】
電気機器８００は、受信部８０１、スイッチ部８０２、内部回路８０３、及び、第１のネットワークインタフェース８４２を有している。
【０２０６】
電気機器８００は、これら以外の部分を有していても構わない。
【０２０７】
受信部８０１は電磁波８０５を受信し、電力８０７を生成する。受信部８０１は例えば電磁波８０５を受信するアンテナ（図示せず）と、電力８０７を生成するための整流器（図示せず）と、第１の情報８０６を取り出すための復調部（図示せず）と、電力を一時的に蓄積するための蓄電部（図示せず）と、その他の部分とを有している。
【０２０８】
受信部８０１で生成された電力８０７はスイッチ部８０２へ送られる。
【０２０９】
受信部８０１は、電磁波８０５に含まれる第１の情報８０６を取り出し、この取り出した第１の情報８０６もスイッチ部８０２へ送られる。
【０２１０】
スイッチ部８０２に電力８０７が供給されると、スイッチ部８０２はその電力によって電源投入状態となり、外部電源８０４から供給される電流８０８を電流８０９として電気機器８００の内部回路８０３へ導通させる。
【０２１１】
従って、本実施例７における電気機器８００は、受信した電磁波８０５から電力８０７を生成し、生成された電力８０７によって、スイッチ部８０２を動作させることができる。その結果、電気機器８００に待機電力を供給することなく、例えばリモコンなどの遠隔制御装置を使って電気機器８００に外部からの電流を導通させることができる。
【０２１２】
本実施例７は、それ以外の部分については上記実施の形態及び実施例１〜６と同様であり、詳細な説明は省略する。
【０２１３】
また、本実施例７では、遠隔制御装置８５０は、第２のネットワークインタフェース８５５、第２の送信部８５４、判断部８８１、及び、第４の記憶部８８４を有している。
【０２１４】
そして、遠隔制御装置８５０は、その第２のネットワークインタフェース８５５によって、第三の装置である他の装置８３３あるいはその他の装置が送信する第５の情報８６１であるアドレス解決要求を受信し、その第５の情報８６２であるアドレス解決要求を判断部８８１へ送る。
【０２１５】
判断部８８１では、アドレス解決要求を受信し、その解決しようとしているネットワークアドレスと、第４の記憶部８８４が記憶しているネットワークアドレスとを比較して、そのアドレス解決要求の対象が電気機器８００であるか否かを判断する。
【０２１６】
そして、そのアドレス解決要求の対象が電気機器８００であれば、電気機器８００を特定する第５の情報８６３を第２の送信部８５４へ送り、第２の送信部８５４は電磁波８０５を電気機器８００へ送信する。
【０２１７】
電気機器８００は上記のとおり、電磁波８０５を受信してスイッチ部８０２の電源を投入する。
【０２１８】
電気機器８００の電源が投入されるので、以降、第三の機器は電気機器８００にネットワークを介してアクセス可能となる。
【０２１９】
例えば、遠隔制御装置８５０がリモコン、電気機器８００がテレビ、他の装置８３３が電話であれば、電話が送出したテレビのアドレス解決要求をリモコンが検知し、テレビの電源を投入することができる。
【０２２０】
また、例えば、第三の電気機器がルータで、電気機器８００がビデオで、遠隔制御装置８５０が照明器であれば、ルータが送信したビデオのアドレス解決要求を照明器が検知し、照明器がビデオに電源投入信号を送信し、ビデオの電源を投入することができる。
【０２２１】
但し、照明器がビデオへのアクセスを検出し、ビデオのみの電源を投入するためには、照明器が事前にビデオのＩＰアドレスと識別子情報を対応付けて保持していることが条件になる。もし照明器がビデオのＩＰアドレスを保持しておらず、ビデオの識別子情報のみを保持しているのであれば、照明器はアドレス解決の対象となる機器にかかわらず、ビデオの電源を投入することが考えられる。また、もし照明器がビデオのＩＰアドレスのみを保持し、識別子情報を保持していないのであれば、照明器はネットワークを介したビデオへのアクセスを契機に、ビデオのみならず、照明器からの電磁波を受信する任意の装置の電源を投入することも考えられる。さらに、照明器がビデオのＩＰアドレスも識別子情報も保持しないのであれば、アドレス解決の対象となる機器にかかわらず、照明器からの電磁波を受信する任意の装置の電源を投入することも考えられる。
【０２２２】
また、電気機器８００の電源は、電気機器８００に対するアドレス解決要求が送出された後に投入されるため、電気機器８００は電源を投入される契機となったアドレス解決要求に対して応答することができない。しかしながら、一般に、アドレス解決要求は再送されるため、電気機器８００は再送されたアドレス解決要求を受信し、応答することができる。
【０２２３】
なお、電気機器８００、遠隔制御装置８５０、及び、他の装置８３３は、必ずしも家庭用電気器に限る必要は無い。事務所、商業施設、工場を始めとする工業施設、その他の事業施設で使用される電気機器であっても、これらの施設で使用される装置の電源を制御することができる。
【０２２４】
ここで、アドレス解決要求とは、ネットワーク層のアドレス（例えば、ＩＰアドレス）からリンク層のアドレス（例えば、ＭＡＣアドレス）を探索する要求パケットを言う。例えば、ＩＰｖ６のＮＤＰ  ＮＳ（Ｎｅｉｇｈｂｏｒ  Ｄｉｓｃｏｖｅｒｙ  Ｐｒｏｔｏｃｏｌ，  Ｎｅｉｇｈｂｏｒ  Ｓｏｌｉｃｉａｔｉｏｎ）あるいは、ＩＰｖ４  ｏｖｅｒ  Ｅｔｈｅｒｎｅｔ（登録商標）のＡＲＰ  ｒｅｑｕｅｓｔ（Ａｄｄｒｅｓｓ  Ｒｅｓｏｌｕｔｉｏｎ  Ｐｒｏｔｏｃｏｌ，  ｒｅｑｕｅｓｔ）を利用することができる。
【実施例８】
【０２２５】
図９に、本発明に係る電気機器の実施例８である電気機器９００と遠隔制御装置９５０とのブロック構成図を示す。
【０２２６】
電気機器９００は、受信部９０１、スイッチ部９０２、内部回路９０３、及び、第１のネットワークインタフェース９４２を有している。
【０２２７】
電気機器９００は、これら以外の部分を有していても構わない。
【０２２８】
受信部９０１は電磁波９０５を受信し、電力９０７を生成する。受信部９０１は例えば電磁波９０５を受信するアンテナ（図示せず）と、電力９０７を生成するための整流器（図示せず）と、第１の情報９０６を取り出すための復調部（図示せず）と、電力を一時的に蓄積するための蓄電部（図示せず）と、その他の部分とを有している。
【０２２９】
受信部９０１で生成された電力９０７はスイッチ部９０２へ送られる。
【０２３０】
受信部９０１は、電磁波９０５に含まれる第１の情報９０６を取り出し、この取り出した第１の情報９０６もスイッチ部９０２へ送られる。
【０２３１】
スイッチ部９０２に電力９０７が供給されると、スイッチ部９０２はその電力によって電源投入状態となり、外部電源９０４から供給される電流９０８を電流９０９として電気機器９００の内部回路９０３へ導通させる。
【０２３２】
本実施例８における電気機器９００は、受信した電磁波９０５から電力９０７を生成し、生成された電力９０７によって、スイッチ部９０２を動作させることができる。その結果、電気機器９００に待機電力を供給することなく、例えばリモコンなどの遠隔制御装置を使って電気機器９００に外部からの電流を導通させることができる。
【０２３３】
本実施例８は、それ以外の部分については上記実施の形態及び実施例１〜７と同様であり、詳細な説明は省略する。
【０２３４】
また、本実施例８では、遠隔制御装置９５０は、第２のネットワークインタフェース９５５、第２の送信部９５４、第５の記憶部９８２、及び、第４の記憶部９８４を有している。
【０２３５】
遠隔制御装置９５０は、その第２のネットワークインタフェース９５５によって、第三の装置である他の装置９３３あるいはその他の装置が送信する第５の情報９６１であるアドレス解決要求を受信し、その第５の情報９６２であるアドレス解決要求を第５の記憶部９８２へ送る。
【０２３６】
第５の記憶部９８２では、受信したアドレス解決要求に含まれるネットワークアドレスと対応付けられて第４の記憶部９８４に記憶されているデータリンクアドレスを参照する。このデータリンクアドレスは、受信したアドレス解決要求に対するアドレス解決応答に含め、第５の情報９６２として第２のネットワークインタフェース９５５へと送られる。
【０２３７】
第２のネットワークインタフェース９５５は、このアドレス解決応答である第５の情報９６２を受信し、第６の情報９６６として、アドレス解決要求を送信した第三の装置である他の装置９３３あるいはその他の装置にネットワーク９６０を経由して送信する。
【０２３８】
これによって、電気機器９００の電源が投入された状態でなく、本来ならばアドレス解決ができない時でも、他の装置９３３はアドレス解決を行うことができるため、他の装置９３３はアドレス解決要求を再送する必要が無い。そのため、アドレス解決要求を送信した第三の装置である他の装置９３３あるいはその他の装置は、電気機器９００に外部電源９０４からの電流を導通させ、起動が完了する前に電気機器９００のリンクアドレスを知ることができ、アドレス解決を高速化することが可能になる。
【実施例９】
【０２３９】
図１０に、本発明の実施例９であるシステムブロック図を示す。
【０２４０】
電気機器１０００は、例えばビデオであり、受信部１００１、スイッチ部１００２、内部回路１００３、及び、第１のネットワークインタフェース１０４２を有している。
【０２４１】
電気機器１０００は、ビデオ以外の機器であっても構わないし、これら以外の部分を有していても構わない。
【０２４２】
受信部１００１は電磁波１００５を受信し、電力１００７を生成する。受信部１００１は例えば電磁波１００５を受信するアンテナ（図示せず）と、電力１００７を生成するための整流器（図示せず）と、第１の情報１００６を取り出すための復調部（図示せず）と、電力を一時的に蓄積するための蓄電部（図示せず）と、その他の部分とを有している。
【０２４３】
受信部１００１で生成された電力１００７はスイッチ部１００２へ送られる。
【０２４４】
受信部１００１は、電磁波１００５に含まれる第１の情報１００６を取り出し、この取り出した第１の情報１００６もスイッチ部１００２へ送られる。
【０２４５】
スイッチ部１００２に電力１００７が供給されると、スイッチ部１００２はその電力によって電源投入状態となり、外部電源１００４から供給される電流１００８を電流１００９として電気機器１０００の内部回路１００３へ導通させる。
【０２４６】
本実施例９における電気機器１０００は、受信した電磁波１００５から電力１００７を生成し、生成された電力１００７によって、スイッチ部１００２を動作させることができる。その結果、電気機器１０００に待機電力を供給することなく、例えばリモコンなどの遠隔制御装置を使って電気機器１０００に外部からの電流を導通させることができる。
【０２４７】
本実施例９は、それ以外の部分については上記実施の形態及び実施例１〜８と同様であり、詳細な説明は省略する。
【０２４８】
また、本実施例９では、遠隔制御装置１０５０は、例えばリモコンであり、第２のネットワークインタフェース１０５５、及び、第２の送信部１０５４を有している。
【０２４９】
また、本実施例９では、第三の機器である他の装置１０３３は、例えばテレビであり、ネットワーク１０６０を経由して、例えば「コンテンツ探索」のマルチキャストを送信する。
【０２５０】
この時、ビデオである電気機器１０００は初期状態で電源遮断状態であるため、コンテンツ探索信号に対して応答することができない。
【０２５１】
そこで、リモコンである遠隔制御装置１０５０は、このコンテンツ探索マルチキャストを第２のネットワークインタフェース１０５５で受信し、その内容がコンテンツ探索であることを認知して、第５の情報１０６３を第２の送信部１０５４へ送信する。
【０２５２】
第５の情報１０６３を受信した第２の送信部１０５４は、電磁波１００５をビデオである電気機器１０００に送信する。
【０２５３】
電気機器１０００は、上記のように、電磁波１００５を受信するとスイッチ部１００２を電源投入状態とすることができる。
【０２５４】
これによって、電気機器１０００は電源投入状態となるので、コンテンツ探索マルチキャストの再送に対して応答することができる。
【０２５５】
また、第三の機器である他の装置１０３３は、例えばテレビであり、ネットワーク１０６０を経由して、例えば「ポチ」という名前の電気機器１０００（例えば、ビデオ）を探索するマルチキャストを送信する。
【０２５６】
この名前とは、各機器に付けられた呼称であり、例えば上記のように「ポチ」や、「冷蔵庫」、「二階のテレビ」などである。
【０２５７】
この時、ビデオである電気機器１０００は初期状態で電源遮断状態であるから、この「ポチ」探索に対して応答することができない。
【０２５８】
そこで、リモコンである遠隔制御装置１０５０は、この「ポチ」探索を第２のネットワークインタフェース１０５５で受信し、その内容が「ポチ」探索であることを認識して、第５の情報１０６３を第２の送信部１０５４へ送信する。
【０２５９】
第５の情報１０６３を受信した第２の送信部１０５４は、電磁波１００５を「ポチ」という名前のビデオである電気機器１０００に送信する。
【０２６０】
電気機器１０００は、上記のように、電磁波１００５を受信するとスイッチ部１００２を電源投入状態とすることができる。
【０２６１】
これによって、電気機器１０００は電源投入状態となるので、「ポチ」探索マルチキャストの再送に対して応答することができる。
【０２６２】
また、ＤＮＳサーバが遠隔制御装置となり、「ポチ」の「ＤＮＳ  ｒｅｓｏｌｖ」パケットを受信して「ポチ」の電源を投入しても構わないし、ＤＮＳサーバとリモコンが別の装置であっても構わない。
【０２６３】
また、ＳＩＰサーバが遠隔制御装置となり、「ポチ」のアドレスを検索するパケットを受信して「ポチ」の電源を投入しても構わないし、ＳＩＰサーバとリモコンが別の装置であっても構わない。
【０２６４】
あるいはまた、「ポチ」にアクセスしようとする第三の機器が送出したＣｏｄｅ＝１（名前からアドレスを探索）のＮＩＱ（Ｎｏｄｅ  Ｉｎｆｏｒｍａｔｉｏｎ  Ｑｕｅｒｙ）のマルチキャストを受信して「ポチ」の電源を投入しても構わない。この時、電源の投入されていない「ポチ」はＮＩＱに対する応答ＮＩＲを送信できないため、「ポチ」は第三の機器から再送されたＮＩＱを受信し、応答することになる。リモコンが「ポチ」の代わりにＮＩＲを送信すれば、第三の機器の再送を待つことなく名前解決が行われるため、名前解決を高速化することが可能となる。
【０２６５】
他の装置１０３３が、例えば第三の機器（テレビ）である時、この第三の機器が「利用者通知」サービス機能を有する電気機器１０００（例えばビデオ）を探索しても構わない。
【０２６６】
このようなサービスには、例えば上記のように、「利用者通知」サービスや「受信したストリームを発音するサービス」などがあり、サービスを識別するサービス識別情報という名前が付与される。電気機器の提供するサービスは、このサービス識別情報を用いて探索される。
【０２６７】
例えば、「利用者通知」サービスと電気機器１０００（ビデオ）との対応表を有するサーバが、「利用者通知」サービスの検索を契機として、電気機器１０００（ビデオ）を認知し、電気機器１０００（ビデオ）の電源を投入することができる。このとき、サーバと遠隔制御装置１０５０（リモコン）とは、同じ装置であっても構わないし、別の装置であっても構わない。
【０２６８】
また、例えば、「利用者通知」という名前のサービスを探索するマルチキャストを遠隔制御装置１０５０（例えばリモコン）が受信し、電磁波１００５を電気機器１０００（ビデオ）に送信し、電気機器１０００（ビデオ）の電源を投入しても構わない。
【０２６９】
他の装置１００３が、例えば第三の電気機器（電子レンジ）である時、この第三の機器が「○○調理法」という名前のコンテンツを探索しても構わない。
【０２７０】
「○○調理法」という名前のコンテンツとそれを保持する電気機器１０００（ビデオ）との対応表を保持するサーバが、「○○調理法」の検索を指示された時に、電気機器１０００（ビデオ）を認知し、電磁波１００５を電気機器１０００（ビデオ）に送信して電気機器１０００（ビデオ）の電源を投入することができる。
【０２７１】
あるいはまた、「○○調理法」という名前のコンテンツを探索するマルチキャストを遠隔制御装置１０５０（リモコン）が受信し、電磁波１００５を電気機器１０００（ビデオ）に送信して、電気機器１０００（ビデオ）の電源を投入することができる。
【０２７２】
コンテンツには、例えば上記のように、「○○調理法」や、「△△音楽」、「※※映画」、「××プログラム」などがあり、これらのコンテンツにコンテンツ識別情報という名前が付与される。電気機器の保持するコンテンツは、このコンテンツ識別情報を用いて探索される。このとき、サーバと遠隔制御装置１０５０（リモコン）とは、同じ装置であっても構わないし、別の装置であっても構わない。
【０２７３】
また、電気機器１０００の電源が投入される前に、あるいは、電気機器１０００の電源を投入せずに、サーバあるいは遠隔制御装置１０５０が探索された内容に対して代理応答しても構わない。但し、このときは、遠隔制御装置１０５０（リモコン）あるいはサーバが、電気機器１０００の名前（例えば「ポチ」）やサービス識別情報、あるいは、コンテンツ識別情報と、ＩＰアドレスあるいは装置識別情報との対応表を保持していることが条件になる。
【産業上の利用可能性】
【０２７４】
本発明によると、待機時（動作しない時）には、電力を全く消費しないかあるいは少しの電力を消費するだけで、なおかつ遠隔制御装置からの制御によって電気機器の電源を投入することが可能となるので、産業上の利用可能性は極めて大きなものがある。
【図面の簡単な説明】
【０２７５】
【図１】本発明の一実施の形態である電気機器１００のブロック構成図
【図２】本発明の実施例１である電気機器２００と遠隔制御装置２５０のブロック構成図
【図３】本発明の実施例２である電気機器３００のブロック構成図
【図４】本発明の実施例３である電気機器４００のブロック構成図
【図５】本発明の実施例４である電気機器５００と遠隔制御装置５５０のブロック構成図
【図６】本発明の実施例５である電気機器６００のブロック構成図
【図７】本発明の実施例６である電気機器７００のブロック構成図
【図８】本発明の実施例７である電気機器８００と遠隔制御装置８５０とのブロック構成図
【図９】本発明の実施例８である電気機器９００と遠隔制御装置９５０のブロック構成図
【図１０】本発明の実施例９であるシステムのブロック図
【図１１】本発明の実施例６における受信部７０１と送信部７７１の詳細構成図
【符号の説明】
【０２７６】
１００，２００，３００，４００，５００，６００，７００，８００，９００，１０００    電気機器（テレビ）
１０１，２０１，３０１，４０１，５０１，６０１，７０１，８０１，９０１，１００１    受信部
１０２，２０２，３０２，４０２，５０２，６０２，７０２，８０２，９０２，１００２    スイッチ部
１０３，２０３，３０３，４０３，５０３，６０３，７０３，８０３，９０３，１００３    内部回路
１０４，２０４，３０４，４０４，５０４，６０４，７０４，８０４，９０４，１００４    外部電源
１０５，２０５，３０５，４０５，５０５，６０５，６２２，７０５，７２２，７３９，８０５，９０５，１００５    電磁波
１０７，２０７，３０７，４０７，５０７，６０７，６１１，７０７，７１１，７１５，８０７，９０７，１００７    電力
１０８，１０９，２０８，２０９，３０８，３０９，４０８，４０９，５０８，５０９，６０８，６０９，７０８，７０９，８０８，８０９,９０８，９０９，１００８，１００９    電流
２０６，３０６，４０６，５０６，６０６，７０６，８０６，９０６，１００６    第１の情報
２５０，５５０，８５０，９５０，１０５０    遠隔制御装置
２５４    第２の送信部
３３１，４３１    時刻設定部
３３２，４３２    計時部
３３３，４３３    時刻情報
４３４    時刻情報受信部
５３３，８３３，９３３，１０３３    他の装置
５４１    第１の記憶部
５４２，８４２，９４２，１０４２    第１のネットワークインタフェース
５５４，８５４，９５４，１０５４    第２の送信部
５５５，８５５，９５５，１０５５    第２のネットワークインタフェース
５６０，８６０，９６０，１０６０    ネットワーク
５６１，８６１，８６２，８６３，９６１，９６２，９６３，１０６３    第５の情報
６２３    第２の情報
６４１    第２の記憶部
７２３    第４の情報
７３７，７３８    第３の情報
７４１    第３の記憶部
７７１    第３の送信部
８８１    判断部
８８４，９８４    第４の記憶部
９６６    第６の情報
９８２    第５の記憶部
１１０２    サーキュレータ
１１０３    バンドパスフィルタ
１１０４    検波器
１１０５    ローパスフィルタ
１１０６    復調器
１１２０    高周波発振器
１１２２    変調器
１１２３    ハイパスフィルタ
１１２４    増幅器
１１４２    同調期
１１４３    整流器
１１４４    平滑器
１１４５    安定器
【図１】
2006319863.tif 000003
【図２】
2006319863.tif 000004
【図３】
2006319863.tif 000005
【図４】
2006319863.tif 000006
【図５】
2006319863.tif 000007
【図６】
2006319863.tif 000008
【図７】
2006319863.tif 000009
【図８】
2006319863.tif 000010
【図９】
2006319863.tif 000011
【図１０】
2006319863.tif 000012
【図１１】
2006319863.tif 000013